(57)【要約】【課題】仕掛け整列速度が速く、浮きの抵抗を最小化して敏感度を高めた浮きを提供する。【解決手段】本発明にかかる浮き２００は、内側に、釣り糸が挿通される貫通孔２０１を具備する本体２０３と、本体２０３の下側に形成される支持部２０５と、支持部２０５の一側に形成される輪２０７と、を含むことを特徴とする。本発明によれば、本体２０３の内側に貫通孔２０１が設けられ、本体２０３の一側には支持部２０５および輪２０７を備える。これにより、仕掛け整列速度を速くすることができる。また、視認性確保のために必要な表面積を維持しながら体積を小さくして仕掛け全体の質量を減らし、さらに、浮きを流線型とすることにより浮きの抵抗を低減して敏感度を高め、風の影響を小さくすることができる。【選択図】図２
2007054047.tif 000002
【特許請求の範囲】
【請求項１】
内側に、釣り糸が挿通される貫通孔が形成された本体と、
前記本体の一側に設けられた支持部と、
前記支持部の一側に形成され、前記釣り糸が挿通される輪と、
を備えることを特徴とする、浮き。
【請求項２】
内側に貫通孔が形成された本体と、
前記本体の一側に設けられた支持部と、
前記支持部に脱着可能に設けられた脱着式輪と、
を備えることを特徴とする、浮き。
【請求項３】
前記脱着式輪は、
前記支持部に設けられた係止部と、
前記係止部の一側から延びて形成された、釣り糸が挿通される輪部と、
を備えることを特徴とする、請求項２に記載の浮き。
【請求項４】
前記係止部は鉤形状または輪形状のうち、いずれか１つの形状からなることを特徴とする、請求項３に記載の浮き。
【請求項５】
前記支持部は、線状部材または板状部材からなることを特徴とする、請求項１〜４のいずれかに記載の浮き。
【請求項６】
前記支持部は、前記本体の外側に向かって湾曲するように形成されることを特徴とする、請求項５に記載の浮き。
【請求項７】
前記貫通孔は、略円筒形または略卵形に形成されることを特徴とする、請求項６に記載の浮き。
【発明の詳細な説明】
【技術分野】
【０００１】
本発明は、釣りに用いられる浮きに関する。
【背景技術】
【０００２】
一般に、浮きは、一定の浮力を維持しながら石錘とえさを底に沈めて、釣り糸を通じて魚の当たりを伝達するものである。すなわち、浮きは、魚が針に引っかかったかどうかを肉眼で確認できるようにするのである。
【０００３】
図１は、従来技術にかかる浮きを示す断面図である。
【０００４】
図１に示すように、従来技術にかかる浮きは、略楕円形状からなる胴体部１０１および釣り糸１０３が通過される挿入孔１０５を含んで構成される。また、胴体部１０１の下側には、重心を低くするために例えば鉛等の比重の大きい物体１０６が結合される。
【０００５】
釣り糸１０３は、挿入孔１０５の上端１０７から引き込まれて、挿入孔１０５の下端１０９から引き出される。また、挿入孔１０５の下端１０９から引き出された釣り糸１０３の先端側には、水中浮き１０８および釣り針１１０が設けられる。
【０００６】
また、釣り糸１０３の、挿入孔１０５の上端１０７側の一部には、浮き結び１１１が形成される。この浮き結び１１１は、浮き結び１１１の幅が挿入孔１０５の内径より大きいため、挿入孔１０５の上端１０７を通過することができない。これにより、釣り糸１０３が浮き結び１１１の位置以上挿入孔１０５の下端１０９側へ引っ張られないようにすることができる。すなわち、浮き結び１１１は、挿入孔１０５を通過した釣り糸１０３が、水面下へ一定長さ以下に下らないようにするものである。
【０００７】
【特許文献１】大韓民国特許公開第２００５−００６６４０１号
【発明の開示】
【発明が解決しようとする課題】
【０００８】
このような従来技術にかかる浮きには、次のような問題がある。
【０００９】
第１に、従来技術にかかる浮きの場合、浮き結び１１１が胴体部１０１の上側に位置するため、水中浮き１０８と釣り用の錘（図示せず。）との重さが胴体部１０１の上側に作用して重心の位置が高くなり、水面の動きによって浮きの揺れが多くなるという問題がある。
【００１０】
第２に、従来技術にかかる浮きの場合、仕掛け（釣り糸や浮き、錘、釣り針等）が整列される間、すなわち、魚を釣る準備ができるまでに、釣竿から延びた釣り糸１０３が水外から水中へ入ってから、また水外に出て、挿入孔１０５の上端１０７を通過することになる。また、この場合、胴体部１０１の挿入孔１０５の上端１０７は水外にあり、下端１０９は水中に位置する形態であるため、上端１０７に挿入される釣り糸１０３と挿入孔１０５とがなす角度が約９０度となって、釣り糸１０３の移動速度が遅くなる。すなわち、釣り糸を、魚を釣る準備ができた状態とするまでの速さ（以下、「仕掛け整列速度」という。）が遅いという問題が発生する。また、挿入孔１０５の直径が胴体部１０１の外径に比べて非常に小さいので、釣り糸１０３との摩擦が激しくなり、仕掛け整列速度が遅くなる原因となる。
【００１１】
第３に、従来技術にかかる浮きの場合、胴体部１０１が水中で移動する際、抵抗が大きい形態であり、胴体部１０１の体積が大きくて、仕掛けを組合せた際、仕掛け全体の質量が大きくなるので敏感度が低いという問題があった。
【００１２】
そこで、本発明は、上記問題に鑑みてなされたものであり、本発明の目的とするところは、仕掛け整列速度が速く、浮きの抵抗を最小化して敏感度を高めることの可能な、新規かつ改良された浮きを提供することにある。
【課題を解決するための手段】
【００１３】
上記課題を解決するために、本発明のある観点によれば、内側に、釣り糸が挿通される貫通孔が形成される本体と、本体の一側に設けられる支持部と、支持部の一側に形成され、釣り糸が挿通される輪と、を備える浮きが提供される。
【００１４】
本発明によれば、浮き本体の内部には、浮きを例えば水に浮かせたときに水面と略垂直方向に延びるように、貫通孔が形成される。かかる貫通孔の一端側であり、浮きを例えば水に浮かせたときに水面下に位置する側には、支持部を設けることができる。また、支持部には、釣り糸が通される輪が形成される。釣り糸には、浮きの支持部に形成された輪の位置よりも上側に、輪を通過しない大きさの浮き結びを形成することもできる。
【００１５】
また、本発明の別の観点によれば、内側に貫通孔が形成される本体と、本体の一側に設けられる支持部と、支持部に脱着可能に設けられる脱着式輪と、を備える浮きが提供される。
【００１６】
ここで、脱着式輪は、支持部に設けられる係止部と、係止部の一側から延長されて形成され、釣り糸が挿通される輪部と、を備えることもできる。この係止部は、鉤形状または輪形状のうち、いずれか１つの形状とすることができる。
【００１７】
また、支持部は、線状部材または板状部材からなる。支持部は、本体の外側に向かって湾曲するように形成してもよい。
【００１８】
さらに、貫通孔の形状は、略円筒形または略卵形に形成してもよい。
【００１９】
このように、本発明にかかる浮きは、本体の内側に貫通孔を具備し、一側には支持部および輪を具備することによって、仕掛け整列速度が速くすることができる。また、視認性確保のために必要な表面積を維持しながら体積を小さくすることにより、仕掛けの全体の質量を減少させることができる。さらに、浮きの形状を流線型とすることにより抵抗を最小化し、敏感度を高め、また、風の影響も小さくすることができる。
【発明の効果】
【００２０】
以上説明したように本発明によれば、仕掛け整列速度が速く、浮きの抵抗を最小化して敏感度を高めることの可能な浮きを提供することができる。
【発明を実施するための最良の形態】
【００２１】
以下に添付図面を参照しながら、本発明の好適な実施の形態について詳細に説明する。なお、本明細書および図面において、実質的に同一の機能構成を有する構成要素については、同一の符号を付することにより重複説明を省略する。また、本発明の説明において、関連した公知構成または機能に対する具体的な説明が本発明の要旨を曖昧にすることができると判断される場合にはその詳細な説明を省略する。
【００２２】
（第１の実施形態）
まず、図２および図３に基づいて、本発明の第１の実施形態にかかる浮きについて説明する。なお、図２は、本発明の第１の実施形態にかかる浮き２００を示す斜視図である。図３は、仕掛けが整列される前の本実施形態にかかる浮き２００の形態を示す側断面図である。
【００２３】
図２に示すように、本実施形態にかかる浮き２００は、内側に貫通孔２０１を備える本体２０３と、本体２０３の一側に形成される支持部２０５と、支持部２０５の一側に形成される輪２０７とを含んで構成される。
【００２４】
本体２０３は、例えば略楕円形または略卵形からなり、その内側には、両端が開口する貫通孔２０１が形成される。貫通孔２０１の形状は、例えば直径が一定の円筒形からなることができ、また、本体２０３の外周面形状に類似する略楕円形または略卵形とすることもできる。貫通孔２０１の内径は、本体２０３の外径の約１／１０〜１／２とすることが好ましいが、これに限定されない。また、貫通孔２０１の最小の内径は、釣り糸１０３の外径より大きく、釣り糸１０３との摩擦が生じないようにすることが好ましい。
【００２５】
本体２０３は、水面の上に一部が突出するように、比重が約０．３〜０．７程度の、例えば木や合成樹脂をはじめとする、長時間間水に接触しても変形や腐食が生じない材質から形成されることが好ましい。
【００２６】
また、図３に示すように、仕掛けが整列される前には、本体２０３は、水面に対して略平行に近い形態で横になっている。したがって、釣竿から延びた釣り糸１０３は水中で水面に対して略水平方向に移動し、浮き結び３０１が輪２０７にかかるまで移動する。このように、本実施形態にかかる浮き２００による場合、釣り糸１０３が本体２０３に対して略平行となるように進むので、仕掛け整列速度が速くなる。
【００２７】
また、本実施形態にかかる浮き２００による場合、本体２０３の内側に貫通孔２０１が形成されている中空形状の構造により、視認性確保のために本体２０３の表面積を大きくしても、本体２０３の体積はあまり大きくならず、本体２０３自体の質量も小さいので、仕掛け全体の質量も小さくなる。さらに、本体２０３の外周面の形状が略楕円形や略卵形などの流線型であるため、水に対する抵抗が小さくなり、敏感度が高まり、風による影響も小さくなる。
【００２８】
一方、本実施形態にかかる浮き２００による場合、従来技術にかかる浮きの下部に備えられる鉛のような高比重の物体を必要とせず、また、貫通孔２０１の内径が釣り糸１０３の直径に比べて非常に大きい。これにより、摩擦を低減することができ、仕掛け整列速度が速くなる。
【００２９】
支持部２０５は、貫通孔２０１の周囲に両端が結合され、支持部２０５の中間側には輪２０７が形成される。この輪２０７に釣り糸１０３を通すことにより、支持部２０５によって釣り糸１０３を支持することができる。一方、支持部２０５の両端は、本体２０３の外周面の一側に結合されることが好ましい。
【００３０】
一方、支持部２０５は、貫通孔２０１から外側に向けて湾曲するように形成される。このため、貫通孔２０１を通過した釣り糸１０３を輪２０７に貫通させ易くすることができる。すなわち、支持部２０５が貫通孔２０１の内側に向けて湾曲したり、支持部２０５が略直線形状である場合は、貫通孔２０１と支持部２０５または輪２０７間の空間が相対的に小さくなる。このため、貫通孔２０１を通過した釣り糸１０３を輪２０７に通過させることが難しい。
【００３１】
また、支持部２０５が外側に向けて湾曲されると、浮き２００の下部に備えられる水中浮や石錘の重さが最大限下側にかかるようにすることができるため、水の流れや波などによる浮き２００の揺れを低減させることができる。
【００３２】
輪２０７は、貫通孔２０１を通過した釣り糸１０３は通過することができるが、浮き結び３０１は通過することのできない部分である。したがって、輪２０７の内径は、釣り糸１０３の直径より大きくなければならないが、浮き結び３０１の幅より小さくなければならない。また、釣り糸１０３が通過する輪２０７の断面形状は、略円形に限定されず、略楕円形や略多角形など、多様な形状で形成することができる。
【００３３】
浮き結び３０１が輪２０７にかかった場合、すなわち仕掛けの整列が完了した場合には、支持部２０５、浮き結び３０１および輪２０７がすべて水中に位置することになる。特に、輪２０７が本体２０３の下側に位置し、浮き結び３０１が輪２０７にかかることになるので、輪２０７の下側に位置する水中浮き（図示せず。）と釣り用の錘（図示せず。）を含んだ仕掛け全体の重さが輪２０７に作用することになる。すなわち、本体２０３の重心が下側に位置することになるため、本体２０３の揺れが減少する。このようにして、胴体部の重心が上側に位置して揺れが多かった従来技術の問題点を解決することができる。
【００３４】
ここで、輪２０７は、支持部２０５と一体形成することもでき、別途に製作されて支持部２０５に固定結合させることもできる。
【００３５】
一方、支持部２０５は、例えばプラスチックから形成することができ、また、アルミニウムなどの耐蝕性金属から形成することもできる。支持部２０５の形状は、直径が略一定な線形部材から形成することができ、薄板状部材から形成することもできる。また、支持部２０５が柔軟性のある素材から形成される場合は、輪２０７に釣り糸１０３を通過させる作業をより容易にすることができる。
【００３６】
以上、第１の実施形態にかかる浮きについて説明した。第１の実施形態にかかる浮きは、本体の内側に、釣り糸が挿通される貫通孔が形成され、一側には支持部および輪を備えることによって、仕掛け整列速度が速くすることができる。また、視認性確保のために必要な表面積を維持しながら体積を小さくすることにより、仕掛けの全体の質量を減少させることができる。さらに、浮きの形状を流線型とすることにより抵抗を最小化し、敏感度を高め、また、風の影響も小さくすることができる。
【００３７】
（第２の実施形態）
次に、図４に基づいて、本発明の第２の実施形態にかかる浮きについて説明する。なお、図４は、本実施形態にかかる浮きを示す斜視図である。
【００３８】
図４に示すように、本実施形態にかかる浮きは、内側に貫通孔２０１を具備する本体２０３と、本体２０３の下側に形成される支持部４０１と、支持部４０１に脱着可能に形成される脱着式輪４０３とを含んで構成される。
【００３９】
輪２０７が支持部２０５に一体形成されたり固定結合される第１の実施形態にかかる浮きとは異なり、本実施形態にかかる浮きにおいては、支持部４０１とは別に脱着式輪４０３が備えられる。脱着式輪４０３が破損した場合は、脱着式輪４０３のみ交換すればよいので、使用が便利である。
【００４０】
脱着式輪４０３は、湾曲する支持部４０１に設けられる係止部４０５と、係止部４０５の一側から延びて形成される輪部４０７とを含んで構成される。
【００４１】
係止部４０５は、脱着式輪４０３を支持部４０１に連結させるためのものであって、例えば鉤形状に形成して支持部４０１に固定させることもでき、輪形状に形成して支持部４０１を挿通させるようにすることもできる。
【００４２】
輪部４０７は、係止部４０５の下側（本体２０３側の反対側）に延びて形成される。この輪部４０７には釣り糸１０３を通過させることができ、その断面は、略円形、略楕円形または多角形など、多様に形成することができる。
【００４３】
このような構成を有する本実施形態にかかる浮きにおいては、釣り糸１０３は貫通孔２０１に挿入されず、本体２０３の外部で脱着式輪４０３の輪部４０７を貫通する。したがって、釣竿から延びた釣り糸１０３は水中で移動し、浮き結び３０１が輪部４０７にかかるまで移動して仕掛けの整列がなされる。この場合、釣り糸１０３は水中でのみ移動するため、仕掛け整列速度が速くなる。なお、本実施形態にかかる浮き２００の貫通孔２０１は、第１の実施形態と同様、中空形状の構造により、仕掛け全体の質量を小さくするために形成される。
【００４４】
以上、第２の実施形態にかかる浮きについて説明した。第２の実施形態にかかる浮きは、支持部とは別に脱着式輪を備える。これにより、着脱式輪が破損した場合にかかる部品を交換すればよいという利点がある。また、釣り糸を、本体に形成される貫通孔ではなく着脱式輪の輪部に通すことにより、仕掛け整列速度を速くすることができる。さらに、かかる貫通孔によって、視認性確保のために必要な表面積を維持しながら体積を小さくすることにより、仕掛けの全体の質量を減少させることができる。さらに、浮きの形状を流線型とすることにより抵抗を最小化し、敏感度を高め、また、風の影響も小さくすることができる。
【００４５】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４６】
本発明は、釣りに用いられる浮きに適用可能である。
【図面の簡単な説明】
【００４７】
【図１】従来技術にかかる浮きを示す断面図である。
【図２】本発明の第１の実施形態にかかる浮きを示す斜視図である。
【図３】図１の浮きの、仕掛けが整列される前の状態を示す側断面図である。
【図４】本発明の第２の実施形態にかかる浮きを示す斜視図である。
【符号の説明】
【００４８】
１０３          釣り糸
２０１          貫通孔
２０３          本体
２０５、４０１  支持部
２０７          輪
３０１          浮き結び
４０３          着脱式輪
４０５          係止部
４０７          輪部
【図１】
2007054047.tif 000003
【図２】
2007054047.tif 000004
【図３】
2007054047.tif 000005
【図４】
2007054047.tif 000006